(57)【要約】【課題】吸収性本体をコアラップにて包んだ吸収体においては、コアラップが吸収性本体の液拡散性を阻害する。【解決手段】前身頃領域１０Ｆと後身頃領域１０Ｒと股下領域１０Ｇとを有する液不透過性のカバーシート１１と、このカバーシート１１に接合される液不透過性のバックシート１２と、このバックシート１２に重ね合わされる圧縮成形されたシート状をなすコアラップなし吸収体１３と、この吸収体１３と共にバックシート１２に重ね合わされ、周縁部がカバーシート１１およびバックシート１２の少なくとも一方に接合される液透過性のトップシート１４とを具えた本発明による使い捨ておむつ１０は、吸収体１３がセルロース繊維およびＳＡＰを少なくとも含み、トップシート１４側の吸収体１３の表面から、その厚み方向に沿った吸収体１３の厚みの５％以上かつ２５％以下の領域ｔFにおけるＳＡＰの配合率が１０重量％以下である。【選択図】図５
2018202101.tif 000002
【特許請求の範囲】
【請求項１】
前身頃領域と後身頃領域と股下領域とを有する液不透過性のカバーシートと、
このカバーシートに接合される液不透過性のバックシートと、
このバックシートに重ね合わされる圧縮成形されたシート状をなすコアラップなし吸収体と、
このコアラップなし吸収体と共に前記バックシートに重ね合わされ、周縁部が前記カバーシートおよび前記バックシートの少なくとも一方に接合される液透過性のトップシートと
を具えた使い捨ておむつであって、
前記コアラップなし吸収体は、セルロース繊維およびＳＡＰを少なくとも含み、前記トップシート側の前記コアラップなし吸収体の表面から、その厚み方向に沿った前記コアラップなし吸収体の厚みの５％以上かつ２５％以下の領域におけるＳＡＰの配合率が１０重量％以下であることを特徴とする使い捨ておむつ。
【請求項２】
前記コアラップなし吸収体の厚みの５％以上かつ２５％以下の領域における前記ＳＡＰの配合率が５重量％以下であることを特徴とする請求項１に記載の使い捨ておむつ。
【請求項３】
前記コアラップなし吸収体は、少なくとも前記コアラップなし吸収体の厚みの５％以上かつ２５％以下の領域に少なくとも配される熱融着性繊維をさらに含んでいることを特徴とする請求項１または請求項２に記載の使い捨ておむつ。
【請求項４】
前記熱融着繊維の前記領域における配合率が１重量％以上かつ２０重量％以下であることを特徴とする請求項３に記載の使い捨ておむつ。
【請求項５】
前記熱融着繊維の前記領域における配合率が３重量％以上かつ１５％以下であることを特徴とする請求項４に記載の使い捨ておむつ。
【請求項６】
個々の前記熱融着繊維の長さが１５ｍｍ以上かつ７０ｍｍ以下であることを特徴とする請求項３から請求項５の何れか一項に記載の使い捨ておむつ。
【請求項７】
個々の前記熱融着繊維の長さが２０ｍｍ以上かつ６０ｍｍ以下であることを特徴とする請求項６に記載の使い捨ておむつ。
【請求項８】
個々の前記熱融着繊維の長さが２５ｍｍ以上かつ５０ｍｍ以下であることを特徴とする請求項７に記載の使い捨ておむつ。
【請求項９】
前記コアラップなし吸収体の表面には圧搾凹部が形成されていることを特徴とする請求項１から請求項８の何れか一項に記載の使い捨ておむつ。
【請求項１０】
前記圧搾凹部が前記トップシートにも一体的に形成されていることを特徴とする請求項９に記載の使い捨ておむつ。
【発明の詳細な説明】
【技術分野】
【０００１】
本発明は、前身頃領域と後身頃領域と股下領域とを有する液不透過性のカバーシートと、液不透過性のバックシートと、吸収体と、液透過性のトップシートとを順に重ね合わせた使い捨ておむつに関する。
【背景技術】
【０００２】
子供用または大人用のおむつや軽中度失禁パッドまたはペット用排泄処理用品など、液透過性のトップシートとバックシートとの間に吸収体を介在させた各種吸収性物品が知られている。このような吸収性物品において、尿などの液体を吸収保持するための吸収体は、通常、吸収性本体とラップ材とから構成される。吸収性本体は、主にフラッフ状パルプ、すなわちセルロース繊維と、高吸液性樹脂、すなわちＳＡＰ(superabsorbent polymer)との混合体であり、ラップ材は、この吸収性本体を包む難水溶性のティッシュや熱可塑性不織布からなる。
【０００３】
このような吸収性物品の一例として、例えば特許文献１などが知られている。これは、吸収性本体に熱可塑性樹脂繊維を加えることにより、吸収体に８５％以上の折り曲げ後復元率を持たせている。
【先行技術文献】
【特許文献】
【０００４】
【特許文献１】特開２０１６−４３１９７号公報
【発明の概要】
【発明が解決しようとする課題】
【０００５】
特許文献１に開示されたような従来の吸収性物品においては、吸収性本体の型崩れを防止するためのラップ材、すなわちコアラップが吸収性本体を包んだ状態となっている。このため、吸収性本体の液拡散性がコアラップの存在によって阻害されてしまい、吸収体の全域に亙って迅速に尿などの液体を拡散させることができず、尿漏れの一因となる可能性があった。このような不具合は、ラップ材として高密度または坪量の大きな不織布を用いた場合、特に顕著に現れる。
【０００６】
本発明の目的は、液拡散性を阻害する可能性のあるコアラップを省略することにより、吸収性本体が本質的に有する液拡散性を最大限に活用すると同時に、コアラップなしでも吸収体の型崩れを抑制し得る使い捨ておむつを提供することにある。
【課題を解決するための手段】
【０００７】
本発明は、前身頃領域と後身頃領域と股下領域とを有する液不透過性のカバーシートと、このカバーシートに接合される液不透過性のバックシートと、このバックシートに重ね合わされる圧縮成形されたシート状をなすコアラップなし吸収体と、このコアラップなし吸収体と共に前記バックシートに重ね合わされ、周縁部が前記カバーシートおよび前記バックシートの少なくとも一方に接合される液透過性のトップシートとを具えた使い捨ておむつであって、前記コアラップなし吸収体は、セルロース繊維およびＳＡＰを少なくとも含み、前記トップシート側の前記コアラップなし吸収体の表面から、その厚み方向に沿った前記コアラップなし吸収体の厚みの５％以上かつ２５％以下の領域におけるＳＡＰの配合率が１０重量％以下、より好ましくは５重量％以下であることを特徴とするものである。
【０００８】
本発明においては、吸収体がコアラップを有しておらず、尿などの液体はトップシートを通過してコアラップなし吸収体により吸収され、その全域に浸透拡散する。また、圧縮成形されたシート状をなすコアラップなし吸収体は、トップシート側の表面から、その厚み方向に沿ったその厚みの５％以上かつ２５％以下の領域がセルロース繊維にて大部分を占められ、圧縮成形性が良好となる。この場合、個々のセルロース繊維を構成するセルロース分子の間での水素結合を促進させるため、吸収体の圧縮成形時に適度な水分を与えることが有効であり、これによって乾燥後の圧縮成形されたコアラップなし吸収体の型崩れが抑制される。
【０００９】
トップシート側のコアラップなし吸収体の表面から、その厚み方向に沿ったその厚みの５％以上かつ２５％以下の領域におけるＳＡＰの配合率が１０重量％を越えると、吸収体の圧縮成形性が低下すると同時に型崩れしやすく、吸収体の表層の液拡散性も低下する。また、トップシート側のコアラップなし吸収体の表面から、その厚み方向に沿ったその厚みの５％未満の領域におけるＳＡＰの配合率を１０重量％以下にしても、吸収体の圧縮成形性が改善されず、型崩れもしやすく、吸収体の表層の液拡散性も改善されない。
【００１０】
本発明による使い捨ておむつにおいて、コアラップなし吸収体は、少なくともその厚みの５％以上かつ２５％以下の領域に少なくとも配される熱融着性繊維をさらに含むことができる。この熱融着性繊維は、コアとなる第１のポリマーと、このコアを取り囲むクラッドとなる第２のポリマーとからなり、第２のポリマーは、第１のポリマーよりも低い融点を持つものが選択される。例えば、ポリプロピレン（コア）とポリエチレン（クラッド）との組み合わせ、ポリエステル（コア）とポリエチレン（クラッド）との組み合わせ、ポリエステル（コア）と低融点ポリエステル（クラッド）との組み合わせなどを挙げることができるが、これらに限定されない。しかしながら、クラッドとして融点が低く、かつ柔軟な手触り感を得られるポリエチレンを使用したものが好ましいと言えよう。この場合、熱融着繊維の配合率を１重量％以上かつ２０重量％以下、より好ましくは３重量％以上かつ１５％以下にすることが有効である。熱融着繊維の配合率が１重量％未満の場合、熱融着繊維を配合したことによる効果を明確に得ることができない。逆に、熱融着繊維の配合率が２０重量％を越えると、吸収体としての液拡散性が低下すると共に尿などの液体の保持量が低下してしまう。また、個々の熱融着繊維の長さは、１５ｍｍ以上かつ７０ｍｍ以下、より好ましくは２０ｍｍ以上かつ６０ｍｍ以下、最も好ましくは２５ｍｍ以上かつ５０ｍｍ以下である。個々の熱融着繊維の長さが１５ｍｍ未満の場合、熱融着繊維が相互に絡みにくくなって、これらを相互に熱融着させることが困難となってしまう。逆に、個々の熱融着繊維の長さが７０ｍｍを越えると、熱融着繊維とセルロース繊維とが均一に混ざりにくくなってしまい、熱融着繊維を配合したことによる効果を得られなくなってしまう。
【００１１】
吸収体の表面に圧搾凹部を形成することができ、この圧搾凹部を直上のトップシートにも併せて一体的に形成することが有効である。
【発明の効果】
【００１２】
本発明の使い捨ておむつによると、吸収体がコアラップを有していないため、吸収体の液拡散性を最大限に生かすことができる。また、吸収体の表層の大部分がセルロース樹脂にて構成されているため、圧縮成形された吸収体の表層部分の型崩れを従来のものよりも少なくすることができる。特に、吸収体の圧縮成形時に吸収体に適度な水分を与えることにより、セルロース分子の水素結合を促進させることができ、圧縮成形後の吸収体の型崩れをさらに抑制することが可能である。
【００１３】
コアラップなし吸収体の厚みの５％以上かつ２５％以下の領域におけるＳＡＰの配合率を５重量％以下にした場合、吸収体の圧縮成形性をさらに向上させることができ、同時に圧縮成形された吸収体の型崩れをさらに抑制することが可能である。
【００１４】
コアラップなし吸収体がその厚みの５％以上かつ２５％以下の領域に少なくとも配される熱融着性繊維を含む場合、吸収体の圧縮成型後にドライヤーなどを用いて加熱することにより、熱融着繊維を相互に融着接合させることができる。このため、これら熱融着繊維の間に介在するセルロース繊維の相対的な位置ずれが阻止され、結果として吸収体の型崩れをさらに抑制することが可能となる。特に、熱融着繊維の配合率が１重量％以上、より好ましくは３重量％以上かつ２０重量％以下の場合、吸収体の型崩れを抑制する効果を高めることができる。また、個々の熱融着繊維の長さが１５ｍｍ以上かつ７０ｍｍ以下、より好ましくは２０ｍｍ以上かつ６０ｍｍ以下、最も好ましくは２５ｍｍ以上かつ５０ｍｍ以下の場合も同様に、吸収体の型崩れを抑制する効果を向上させることが可能である。
【００１５】
吸収体の表面に圧搾凹部を形成した場合、特に圧搾凹部をトップシートにも一体的に形成した場合、吸収体の型崩れをさらに抑制することができる。
【図面の簡単な説明】
【００１６】
【図１】本発明による使い捨ておむつをテープ型使い捨ておむつに適用した一実施形態の外観を示す立体投影図である。
【図２】図１に示したテープ型使い捨ておむつの展開状態をその肌当接面側から見た一部破断平面図である。
【図３】図２に示したテープ型使い捨ておむつを分解状態で表す立体投影図である。
【図４】図２中のIV−IV矢視に沿った断面図である。
【図５】図４中の矢視Ｖ部を抽出拡大した断面図である。
【発明を実施するための形態】
【００１７】
本発明による使い捨ておむつをテープ型使い捨ておむつに適用した一実施形態について、図１〜図４を参照しながら詳細に説明する。しかしながら、本発明による使い捨ておむつは、このようなテープ型使い捨ておむつに限らず、パンツ型使い捨ておむつや吸収パッドなどの他の吸収性物品にも適用可能である。
【００１８】
本実施形態によるテープ型使いすておむつの使用状態における外観を図１に示し、その内側の肌当接面側を表にして展開した状態の外観を図２に示し、これをさらに分解した状態の外観を図３に示す。また、図２中のIV−IV矢視に沿った断面構造を模式的に図４に示し、その矢視Ｖ部を抽出拡大して図５に示す。
【００１９】
すなわち、本実施形態におけるテープ型使い捨ておむつ（以下、単におむつと記述する）１０は、カバーシート１１および液不透過性のバックシート１２と、コアラップなし吸収体１３と、液透過性のトップシート１４と、左右一対のサイドシート１５とを有する。トップシート１４が重ね合わされるバックシート１２は、トップシート１４とほぼ同じ寸法形状を有し、良好な手触りを得るために薄い不織布にて形成されたカバーシート１１に接合される。コアラップなし吸収体１３は、バックシート１２と、このバックシート１２に重ね合わされるトップシート１４との間に配され、バックシート１２とトップシート１４とが直接接するこれらの外周縁部は相互に一体的に接合されている。液不透過性のサイドシート１５の長手方向両端部（図２中、上下両端部）は、カバーシート１１の上下両端部に重ね合わされ、バックシート１２およびトップシート１４の左右両側縁部と、カバーシート１１とに対してそれぞれ一体的に接合されている。カバーシート１１およびサイドシート１５は、バックシート１２およびトップシート１４の前後両側の左右、すなわち幅方向両側縁から外側へ延出する前後一対のサイドフラップ部１０ｆ，１０ｒを有する。これら前後のサイドフラップ部１０ｆ，１０ｒの間の股下領域１０Ｇには、着用者に脚周り開口部１０ｔとなる一対の円弧状凹部１０ｃが形成されている。
【００２０】
本実施形態においては、トップシート１４の左右両側に覆い重なる左右一対のサイドシート１５の内側部分（図２中、中央側）がトップシート１４に対して非接合状態となっている。この内側部分に立体ギャザー１５ａを形成するため、サイドシート１５の内側端縁部に糸ゴム１６が伸張状態で接合されている。
【００２１】
このおむつ１０の後身頃領域１０Ｒ側のカバーシート１１には、ウエスト周り開口部１０ｗに沿って配設される横に細長いウエスト周り弾性シート１７が伸長状態で接合されている。本実施形態におけるウエスト周り弾性シート１７は、ベースシート１８と、このベースシート１８に伸長状態で相互に平行に接合される複数本の糸ゴム１９と、これら糸ゴム１９を覆うようにベースシート１８に接合されるアッパーシート２０とで構成される。このウエスト周り弾性シート１７は、ウエストギャザー１７ａを形成して着用者のウエスト周りのフィット性を良好にする機能を有する。
【００２２】
後身頃領域１０Ｒ側のサイドフラップ部１０ｒの幅方向両側縁部には、左右一対のファスニングテープ２１の基端部がウエスト周り弾性シート１７の両端部に重ね合わせて接合されている。これらファスニングテープ２１を介して後身頃領域１０Ｒ側のサイドフラップ部１０ｒを前身頃領域１０Ｆ側のサイドフラップ部１０ｆに重ね合わせることにより、ウエスト周り開口部１０ｗと脚周り開口部１０ｔとが形成される。ファスニングテープ２１は、その幅方向（図２中、左右方向）に沿って伸縮性を持たせた伸縮シートで構成され、その先端部分に面ファスナー２２が取り付けられている。面ファスナー２２は、前身頃領域１０Ｆ側のカバーシート１１に接合された面ファスナーシート２３に対して繰り返し剥離可能に接合可能である。従って、弾性力を伴ってファスニングテープ２１を引き延ばしてその面ファスナー２２の部分を前身頃領域１０Ｆの面ファスナーシート２３に接合することにより、着用者のウエスト周りに対して常に適切な締め付け力を与えることができる。
【００２３】
コアラップなし吸収体１３の両側縁の外側の長手方向に沿った股下領域１０Ｇから前身頃領域１０Ｆ側および後身頃領域１０Ｒ側にかけて脚周り弾性部材２４が配されている。本実施形態では糸ゴムにて形成した脚周り弾性部材２４は、カバーシート１１とサイドシート１５との間に伸長状態で固定され、レッグギャザー２４ａを形成して着用者の脚周りのフィット性を良好にする機能を有する。
【００２４】
コアラップなし吸収体１３は、おむつ１０の前身頃領域１０Ｆから股下領域１０Ｇを通って後身頃領域１０Ｒまで達するように、これらに対応した前身頃部分と股下部分と後身頃部分とを有する。コアラップなし吸収体１３の股下部分には、両脚の太股部分を取り囲む左右一対の脚周り開口部１０ｔに合わせて、円弧状をなす一対の円弧状凹部１３ｃが形成され、股下部分の幅が前身頃部分および後身頃部分の幅に比べて狭くなっている。なお、この円弧状凹部１３ｃをコアラップなし吸収体１３に形成することは必須ではない。また、コアラップなし吸収体１３の輪郭形状も本実施形態のような細長い形状以外に、楕円形やＴ字型または正方形など、様々な形状を採用することが可能である。
【００２５】
図２および図４に示すように、本実施形態のコアラップなし吸収体１３は、トップシート１４と共にその表面からバックシート１２に向かってエンボス加工を規則的に施したエンボスパターン形成領域、すなわち凹部形成領域ＺRを有する。この凹部形成領域ＺRには、エンボス加工による圧搾凹部２５の配列構成によって、全体として、いわゆる斜め格子状のエンボスパターンが形成される。このエンボスパターンの具体的構成などに関しては、本発明の特徴ではなく、周知のものを適宜採用することが可能である。
【００２６】
本実施形態における圧搾凹部２５は、トップシート１４と、コアラップなし吸収体１３とを共に一体的に圧縮して形成される。本実施形態では、ラップ材を用いていないため、圧搾凹部２５を形成する際にラップ材の破れなどの問題を回避することができる。加えて、圧搾凹部２５は、トップシート１４と、コアラップなし吸収体１３とを共に圧縮接合して形成されており、圧搾凹部２５に流れ込む液体は、圧搾凹部の底面を通って拡散しながらこれらの周囲に吸収される。
【００２７】
各圧搾凹部２５を適切な寸法形状および密度に成形することにより、着用者の体重が加わっても、その溝構造を維持することができると共に、おむつ１０の股下領域１０Ｇにおけるコアラップなし吸収体１３の肌当接面において、柔らかな肌触りを維持することができる。従って、斜め格子状のエンボスパターンにより、脚の様々な動きに対しておむつ１０がよれるなど変形を抑制できるとともに、その肌触りを柔らかいものとして、肌への刺激を極力抑えることが可能である。
【００２８】
本実施形態におけるコアラップなし吸収体１３は、フラッフ状パルプ、すなわちセルロース繊維と、ＳＡＰと、熱融着性繊維とからなる。そして、その厚み方向に沿って、その表層部分ｔFとそれ以外の部分（以下、この部分を表層以外の部分と記述する）とでこれらの配合率を異ならせている。表層部分ｔFは、トップシート１４側のコアラップなし吸収体１３の表面から、その厚み方向に沿ったその最大厚みｔの８％の領域であるが、コアラップなし吸収体１３の最大厚みｔに応じて５％〜２５％の範囲で変更可能である。一般的には、コアラップなし吸収体１３の最大厚みｔが薄いほど、表層部分ｔFの厚みを相対的に大きくすることが望ましい。
【００２９】
上述した表層部分ｔFにおけるＳＡＰの配合率は、本実施形態では３重量％に設定されているが、１０重量％以下であればよく、これに限定されない。また、表層以外の部分におけるＳＡＰの配合率は、吸収体として一般的な５０重量％〜９５重量％程度に設定されているが、これに限定されない。
【００３０】
また、本実施形態における熱融着繊維は、ポリプロピレン（コア）とポリエチレン（クラッド）とを組み合わせたそれぞれ４０ｍｍの長さのものであるが、これに限定されない。先の表層部分ｔFにおける熱融着繊維の配合率は、本実施形態では１０重量％の配合率となるように混合されているが、２０重量％以下であればよく、これに限定されない。また、表層以外の部分における熱融着繊維の配合率は、２０重量％以下であればよく、０％であってもかまわない。
【００３１】
従って、コアラップなし吸収体１３は、吸収体自体の液拡散性を阻害する可能性があるラップ材を有しておらず、尿などの液体はトップシート１４を通過してコアラップなし吸収体１３の表層部分ｔFから吸収され、その全域に浸透拡散することとなる。また、圧縮成形されたシート状をなすコアラップなし吸収体１３の表層部分ｔFがセルロース繊維にて大部分を占められ、その圧縮成形性が良好となり、コアラップなし吸収体１３自体および圧搾凹部２５を型崩れしにくくさせることが可能である。また、コアラップなし吸収体１３の表層部分ｔFに熱融着性繊維が配合されているため、圧縮成形後にドライヤーなどを用いて加熱することにより、熱融着性繊維の相互に接する部分が熱融着し、三次元の網目構造が熱融着繊維によって形成される。これにより、熱融着繊維の間に介在するセルロース繊維の移動が抑制され、コアラップなし吸収体１３の型崩れをさらに抑制することができる。
【００３２】
なお、セルロース繊維の水素結合力のみでコアラップなし吸収体１３の型崩れを阻止することができる場合、コアラップなし吸収体１３に上述した熱融着性繊維を用いず、セルロース繊維およびＳＡＰのみでコアラップなし吸収体１３を構成することも可能である。
【００３３】
このように、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のない構成を含め、その用途や目的などに応じて任意に変更し得るものである。
【符号の説明】
【００３４】
１０  テープ型使い捨ておむつ（おむつ）
１０Ｆ  前身頃領域
１０Ｇ  股下領域
１０Ｒ  後身頃領域
１１  カバーシート
１２  バックシート
１３  コアラップなし吸収体
１４  トップシート
２５  圧搾凹部
ｔ  コアラップなし吸収体の最大厚み
ｔF  表層部分の厚み
【図１】
2018202101.tif 000003
【図２】
2018202101.tif 000004
【図３】
2018202101.tif 000005
【図４】
2018202101.tif 000006
【図５】
2018202101.tif 000007